(57)【要約】【課題】  互いに回転可能な対の枠部材を金属とは異なる素材により形成しつつ、対の枠部材の互いに対する回転を簡易な構成で確実に規制できる家具を提供することを目的とする。【解決手段】  金属とは異なる素材により形成される対の枠部材３、４と、対の枠部材３、４を互いに対して回転可能に連結する支軸部５と、対の枠部材３、４の一方に形成される案内溝部６１と、対の枠部材３、４の他方に設けられ、案内溝部６１に嵌まるピン部６２とを備え、案内溝部６１及びピン部６２は、ピン部６２が案内溝部６１の端部に当接することで対の枠部材３、４の互いに対する回転が規制されるように、形成される。【選択図】  図１
2020099614.tif 000002
【特許請求の範囲】
【請求項１】
金属とは異なる素材により形成される対の枠部材と、
前記対の枠部材を互いに対して回転可能に連結する支軸部と、
前記対の枠部材の一方に形成される案内溝部と、
前記対の枠部材の他方に設けられ、前記案内溝部に嵌まるピン部とを備え、
前記案内溝部及び前記ピン部は、前記ピン部が前記案内溝部の端部に当接することで前記対の枠部材の互いに対する回転が規制されるように、形成される、家具。
【請求項２】
前記枠部材は、矩形又はコの字状の形態であり、設置状態で床面に平行に延在する上辺部と、設置状態で前記上辺部の両端から床面に向けて延在する各脚部を有し、
前記案内溝部及び前記ピン部は、前記脚部のそれぞれの中央部に設けられる、請求項１に記載の家具。
【請求項３】
前記支軸部は、
ネジ山を有し、前記対の枠部材の一方に形成されネジ穴に固着する固定具と、
前記対の枠部材の他方に設けられ、前記固定具が回転可能に貫通する貫通穴とを含む、請求項２に記載の家具。
【請求項４】
前記対の枠部材の一方は、前記対の枠部材の他方よりも前記上辺部が短く、前記対の枠部材の他方よりも内側に位置し、
前記対の枠部材のうちの、内側に位置する方の枠部材に、前記ネジ穴が形成されかつ前記案内溝部が形成され、外側に位置する方の枠部材に、前記貫通穴が形成されかつ前記ピン部が設けられる、請求項３に記載の家具。
【請求項５】
前記ピン部の位置は、前記ネジ穴の中心を通って前記脚部の延在方向に延在する中心線に対して、内側に位置する方の前記枠部材の回転方向で開き側にオフセットする、請求項４に記載の家具。
【発明の詳細な説明】
【技術分野】
【０００１】
本開示は、洗濯物収容袋などの袋体を懸架可能な家具に関する。
【背景技術】
【０００２】
袋体を懸架可能な家具が知られている。例えば、特許文献１には、コの字型骨格部材（枠部材）の中央部を袋支持部とし、該袋支持部から直角に曲折した両側を脚部とし、対向する２つのコの字型骨格部材を各脚部の中央付近に設けた回動部（支軸部）で重ね合わせて軸支することによって開閉可能に形成された骨組み（家具）が開示されている。また、特許文献１の骨組みは、設置状態において２つのコの字型骨格部材の互いに対する回転を規制する架け渡し部材を備える。
【先行技術文献】
【特許文献】
【０００３】
【特許文献１】実用新案登録第３１１４４０６号公報
【発明の概要】
【発明が解決しようとする課題】
【０００４】
しかしながら、従来、この種の家具は、対の枠部材が金属パイプなどの金属素材で形成され、金属素材特有の性質を利用した構造が採用されるのが、一般的である。このような金属素材を用いる構造の場合、持ち運びには重く、その使用に際して、金属自体が有する比較的高い剛性に起因して柔軟性にかけるという問題があった。
【０００５】
そこで、１つの側面では、本発明は、互いに回転可能な対の枠部材を金属とは異なる素材により形成しつつ、対の枠部材の互いに対する回転を簡易な構成で確実に規制できる家具を提供することを目的とする。
【課題を解決するための手段】
【０００６】
１つの側面では、
金属とは異なる素材により形成される対の枠部材と、
前記対の枠部材を互いに対して回転可能に連結する支軸部と、
前記対の枠部材の一方に形成される案内溝部と、
前記対の枠部材の他方に設けられ、前記案内溝部に嵌まるピン部とを備え、
前記案内溝部及び前記ピン部は、前記ピン部が前記案内溝部の端部に当接することで前記対の枠部材の互いに対する回転が規制されるように、形成される、家具が提供される。
【発明の効果】
【０００７】
１つの側面では、本発明によれば、互いに回転可能な対の枠部材を金属とは異なる素材により形成しつつ、対の枠部材の互いに対する回転を簡易な構成で確実に規制できる家具を提供することが可能となる。
【図面の簡単な説明】
【０００８】
【図１】本発明の一実施形態に係る家具の設置姿勢を示す斜視図である。
【図２】本発明の一実施形態に係る家具の支軸部及び回転規制部を示す要部側面図である。
【図３】本発明の一実施形態に係る家具の支軸部及び回転規制部を示す枠部材の内側から見た要部分解斜視図である。
【図４】本発明の一実施形態に係る家具の支軸部及び回転規制部を示す枠部材の外側から見た要部分解斜視図である。
【図５】本発明の一実施形態に係る家具の内側枠部材の脚部外側面を示す要部側面図である。
【図６】本発明の一実施形態に係る家具の外側枠部材の脚部内側面を示す要部側面図である。
【発明を実施するための形態】
【０００９】
以下、添付図面を参照しながら各実施形態について詳細に説明する。なお、添付図面では、見易さのために、複数存在する同一属性の部位には、一部のみしか参照符号が付されていない場合がある。
【００１０】
［家具］
図１〜図６に示すように、本発明の一実施形態に係る家具１は、洗濯物収容袋などの袋体２を懸架可能な家具であり、竹又は木に由来する素材により形成される対の枠部材３、４と、対の枠部材３、４を互いに対して回転可能に連結する支軸部５と、対の枠部材３、４の互いに対する回転を規制する回転規制部６と、を備える。
【００１１】
家具１は、対の枠部材３、４の互いに対する回転操作によって、設置姿勢と収納姿勢とに姿勢を切り換えることができる。設置姿勢は、図１に示すように、対の枠部材３、４が互いに開き方向に回転した姿勢であり、対の枠部材３、４の下端部で自立しつつ、対の枠部材３、４の上端部間で袋体２を懸架することができる。また。収納姿勢は、図示を省くが、対の枠部材３、４が閉じ方向に回転して重なり合った姿勢であり、コンパクトに収納することができる。
【００１２】
［枠部材］
対の枠部材３、４は、矩形の形態であり、設置状態で床面に平行に延在する上辺部３１、４１と、設置状態で上辺部３１、４１の両端から床面に向けて延在する各脚部３２、４２と、設置状態で床面に沿って延在し、両端が各脚部３２、４２の下端に連結される下辺部３３、４３と、を有する。各脚部３２、４２は、支軸部５の軸方向で互いに接触する態様又は非常に僅かな隙間だけ離間する態様で、互いに対して位置する。なお、対の枠部材３、４は、下辺部３３、４３を有していないコの字状の形態であってもよい。
【００１３】
対の枠部材３、４の一方である内側枠部材３は、対の枠部材３、４の他方である外側枠部材４よりも上辺部３１が短くなっており、少なくとも外側枠部材４よりも脚部３２が内側に位置している。
【００１４】
［支軸部］
図２〜図６に示すように、支軸部５は、対の枠部材３、４の脚部３２、４２のそれぞれの中央部に設けられる。具体的に説明すると、支軸部５は、内側枠部材３の外側面に形成される有底のネジ穴５１と、外側枠部材４に形成される貫通穴５２と、ネジ山を有し、外側枠部材４の外側から貫通穴５２を介して内側枠部材３のネジ穴５１に固着される固定具である固定ネジ５３とを備えており、固定ネジ５３が貫通穴５２を回転可能に貫通することにより、対の枠部材３、４が固定ネジ５３を支点として互いに回転可能となっている。
【００１５】
なお、貫通穴５２は、固定ネジ５３の軸部よりもわずかに大きい内径を有し、固定ネジ５３のフランジ部が当接する座部５２ａ（図４参照）を有してよい。このような座部５２ａにより、固定ネジ５３の締め込み量を規定できる。
【００１６】
なお、本実施形態のネジ穴５１は、内側枠部材３に埋め込まれる埋込ナット５４により形成されるが、ネジ穴５１は、内側枠部材３に直接形成してもよい。また、ネジ穴５１を外側枠部材４に形成し、貫通穴５２を内側枠部材３に形成してもよい。
【００１７】
［回転規制部］
図３〜図６に示すように、回転規制部６は、対の枠部材３、４の脚部３２、４２のそれぞれの中央部に設けられる。具体的に説明すると、回転規制部６は、内側枠部材３の脚部３２の外側面に形成される有底の案内溝部６１と、外側枠部材４の脚部４２の内側面に設けられ、案内溝部６１に嵌まるピン部６２とを備える。ピン部６２は、金属等により形成され、外側枠部材４に固定される。案内溝部６１及びピン部６２は、ピン部６２が案内溝部６１の端部に当接することで対の枠部材３、４の互いに対する回転を規制する。
【００１８】
つまり、案内溝部６１は、対の枠部材３、４の回転中心である固定ネジ５３を中心とする円弧形状の長穴、又は円弧状の長穴範囲を含む直線状の長穴であり、前述した設置姿勢では、案内溝部６１の一端部にピン部６２が当接することで対の枠部材３、４の開き方向の回転が規制され、前述した収納姿勢では、案内溝部６１の他端部にピン部６２が当接することで対の枠部材３、４の閉じ方向の回転が規制される。
【００１９】
このような家具１によれば、互いに回転可能な対の枠部材３、４を竹又は木に由来する素材により形成しつつ、対の枠部材３、４の互いに対する回転を簡易な構成で確実に規制することができる。また、回転規制部６は、対の枠部材３、４の脚部３２、４２のそれぞれの中央部、つまり、支軸部５の近傍に設けられるので、案内溝部６１の長さを抑制しつつ、対の枠部材３、４の必要な開き角度を確保できる。
【００２０】
また、ピン部６２の位置は、図３及び図６に示すように、ネジ穴５１、貫通穴５２の中心を通って脚部４２の延在方向に延在する中心線ＣＬに対して、内側枠部材３の回転方向で開き側にオフセットするように外側枠部材４の脚部４２の内側面に設けられている。このようにすると、対の枠部材３、４の幅寸法（回転方向の幅寸法）を抑制しつつ、対の枠部材３、４の必要な開き角度を確保できる。
【００２１】
例えば、本実施形態では、対の枠部材３、４が閉じた状態（重なる状態）では、ピン部６２は、案内溝部６１の一方側の端部に当接し、対の枠部材３、４が最も開いた状態（全開状態）では、ピン部６２は、案内溝部６１の他方側の端部に当接する。
【００２２】
このように、本実施形態によれば、対の枠部材３、４を、竹又は木に由来する素材により形成することで、金属製の場合に比べて、家具１の軽量化を図り、可搬性を高めることができる。また、ナチュラル嗜好のユーザにも受け入れられやすい商品とすることができる。また、金属製の場合に比べて柔軟性（可撓性）が高く、組付け性（例えばピン部６２を等も向上する。
【００２３】
ところで、内側枠部材３の脚部３２の幅方向に沿った案内溝部６１の長さ（すなわち案内溝部６１内におけるピン部６２の摺動ストローク）は、家具１の必要な開度（対の枠部材３、４間の開き角度）に応じて決まる。すなわち、内側枠部材３の脚部３２の幅方向に沿った案内溝部６１の長さは、必要な開度が大きくなるほど、長くなる。
【００２４】
この点、内側枠部材３の脚部３２は、案内溝部６１が形成される箇所及び当該箇所の近傍だけ広幅にしてもよいが、好ましくは、意匠性の観点から、幅が一定の形態である。他方、可搬性の向上や軽量化等を図るために、案内溝部６１の幅に対して脚部３２の幅を近づけると、ピン部６２からの力（脚部３２の幅方向の力）によって案内溝部６１が破損等する強度上の問題が生じうる。このような強度上の問題は、内側枠部材３が金属とは異なる材料（木や竹）で形成されている場合に特に顕著となる。
このため、本実施形態では、内側枠部材３の脚部３２の幅方向に沿った案内溝部６１の長さは、好ましくは、内側枠部材３の脚部３２の全幅に対して５／８〜７／８程度である。これにより、脚部３２の強度を維持しつつ、必要な開度（対の枠部材３、４間の開き角度）を確保できる。なお、案内溝部６１は、内側枠部材３の脚部３２の幅方向に沿って直線状に形成されているが、円弧状に形成されてもよい。
【００２５】
また、案内溝部６１は、好ましくは、内側枠部材３の脚部３２の木目に交差する方向に形成される。具体的には、内側枠部材３の脚部３２は、好ましくは、脚部３２の延在方向に沿った方向に木目を有する。これにより、ピン部６２からの力（脚部３２の幅方向の力）によって案内溝部６１が破損等する可能性を効果的に低減できる。
【００２６】
また、本実施形態の家具１では、内側枠部材３に、ネジ穴５１及び案内溝部６１が形成され、外側枠部材４に、貫通穴５２が形成されかつピン部６２が設けられるので、外側枠部材４の強度不足を回避できる。つまり、外側枠部材４は、貫通穴５２によって強度が低下するため、さらに案内溝部６１を形成すると、強度不足になる可能性があるが、強度の低下がないピン部６２を設けることで、外側枠部材４の強度不足を回避することが可能になる。また、内側枠部材３に形成されるネジ穴５１及び案内溝部６１はいずれも有底形状であるため、内側枠部材３の強度不足も回避できる。
【００２７】
なお、前述したように、ネジ穴５１を外側枠部材４に形成し、貫通穴５２を内側枠部材３に形成する場合は、外側枠部材４に案内溝部６１を形成し、内側枠部材３にピン部６２を設けることが好ましい。
【００２８】
以上、各実施形態について詳述したが、特定の実施形態に限定されるものではなく、特許請求の範囲に記載された範囲内において、種々の変形及び変更が可能である。また、前述した実施形態の構成要素を全部又は複数を組み合わせることも可能である。
【符号の説明】
【００２９】
１  家具
２  袋体
３  内側枠部材
３１  上辺部
３２  脚部
３３  下辺部
４  外側枠部材
４１  上辺部
４２  脚部
４３  下辺部
５  支軸部
５１  ネジ穴
５２  貫通穴
５３  固定ネジ
５４  埋込ナット
６  回転規制部
６１  案内溝部
６２  ピン部
【図１】
2020099614.tif 000003
【図２】
2020099614.tif 000004
【図３】
2020099614.tif 000005
【図４】
2020099614.tif 000006
【図５】
2020099614.tif 000007
【図６】
2020099614.tif 000008